(57)【特許請求の範囲】
【請求項１】
プレスブレーキにおける下部テーブルに備えた左右一対のサポートアームに装着して使用するワークテーブルであって、プレスブレーキにおける下部テーブル前面に左右方向に離隔して備えた左右一対のサポートアームに支持される下部フレームに上部フレームを上下調節可能に備え、この上部フレームに、板状のワークを載置支持するテーブルを前後方向へ移動可能に備え、前記下部フレームを前記サポートアームに固定するための固定具を、前記下部フレームに備えた左右の脚部材の内側面又は外側面へ選択的に取付け可能かつ上記固定具を脚部材に対して上下調節可能に備えていることを特徴とするプレスブレーキにおけるワークテーブル。
【請求項２】
請求項１に記載のプレスブレーキにおけるワークテーブルにおいて、前記下部フレームは、前後左右に離隔した左前側脚部材、左後側脚部材、右前側脚部材、右後側脚部材を備えると共に、前記左前側脚部材と左後側脚部材とを連結する左梁部材及び前記右前側脚部材と右後側脚部材とを連結する右梁部材を備え、前記左梁部材の前側と右梁部材の前側又は前記左前側脚部材と右前側脚部材とを連結する前梁部材及び前記左梁部材の後側と右梁部材の後側又は前記左後側脚部材と右後側脚部材とを連結する後梁部材を備え、前記前後左右の各脚部材及び前後左右の各梁部材は、断面形状が四角形状で四方向の各側面に長手方向の係止溝を備えた角柱部材によって構成してあり、前記各脚部材と各梁部材のそれぞれは、前記係止溝に移動可能に係合した固定具を介して互いに連結してあることを特徴とするプレスブレーキにおけるワークテーブル。
【請求項３】
請求項１又は２に記載のプレスブレーキにおけるワークテーブルにおいて、前記下部フレームに対して前記上部フレームを上下調節するときに、前記上部フレームを下方から支持し、かつ前記テーブルを水平に保持して上下動するための上下調節操作手段を備えていることを特徴とするプレスブレーキにおけるワークテーブル。
【請求項４】
請求項１，２又は３に記載のプレスブレーキにおけるワークテーブルにおいて、前記下部フレームに対して前記上部フレームを上下調節可能に支持する左右の脚部材は板状部材を含むことを特徴とするプレスブレーキにおけるワークテーブル。
【請求項５】
請求項１，２，３又は４に記載のプレスブレーキにおけるワークテーブルにおいて、前記テーブルの上面に、当該テーブルに対するワークの移動が円滑であり、かつワークに擦り傷を付与することのない傷防止用のシート部材を備えていることを特徴とするプレスブレーキにおけるワークテーブル。
【発明の詳細な説明】
【技術分野】
【０００１】
本発明は、プレスブレーキにおいて折曲げ加工される板状のワークを載置支持するワークテーブルに係り、さらに詳細には、プレスブレーキにおける下部テーブル前面に備えた左右一対のサポートアームにワークテーブルを取付けるに当たり、プレスブレーキによって左右一対のサポートアームの間隔が異なる場合であっても、容易に対応することのできるワークテーブルに関する。
【背景技術】
【０００２】
プレスブレーキにおいて折曲げ加工される板状のワークを載置支持するワークテーブルを、プレスブレーキにおける下部テーブルに備えたサポートアームに取り付けることは従来から行われている（例えば特許文献１参照）。
【先行技術文献】
【特許文献】
【０００３】
【特許文献１】特開平６−４７４４６号公報
【発明の概要】
【発明が解決しようとする課題】
【０００４】
前記特許文献１に記載のワークテーブルは、図１５に示すように、プレスブレーキにおける下部テーブル１２１にボルトなどの取付具によって取付けられる取付板１２３を備えており、この取付板１２３には、水平に前方向へ突出したサポートアーム１２５が備えられている。このサポートアーム１２５には、上部にプレート１２７を備えた前後一対の支柱１２９が上下調節自在に支持されている。前記サポートアーム１２５に対して支柱１２９を固定するために、サポートアーム１２５には、押え部材１３１が備えられていると共に、上記押え部材１３１を締付け自在な締付具１３３が備えられている。
【０００５】
そして、前記プレート１２７上には、ゲージ本体１３５が左右方向へ位置調節自在かつ左右方向の角度調節自在に備えられており、このゲージ本体１３５には、板状のワークＷを支持するワークサポート部材１３７が前後方向へ摺動自在に備えられている。
【０００６】
上記構成においては、一本のサポートアーム１２５でもって支柱１２９を支持する構成であるから、左右方向の幅寸法が比較的大きなワークに対応すべく、プレート１２７，ゲージ本体１３５，ワークサポート部材１３７等を左右方向に大きくすると、安定性に欠けるという問題がある。
【０００７】
また、プレート１２７等の上下調節は、締付具１３３を緩めた状態に保持して支柱１２９を上下に調節し、この上下調節位置に支柱１２９を保持しつつ前記締付具１３３を締付けなければならず、上下調節がなかなか厄介であるという問題がある。
【課題を解決するための手段】
【０００８】
本発明は、前述のごとき従来の問題に鑑みてなされたもので、プレスブレーキにおける下部テーブルに備えた左右一対のサポートアームに装着して使用するワークテーブルであって、プレスブレーキにおける下部テーブル前面に左右方向に離隔して備えた左右一対のサポートアームに支持される下部フレームに上部フレームを上下調節可能に備え、この上部フレームに、板状のワークを載置支持するテーブルを前後方向へ移動可能に備え、前記下部フレームを前記サポートアームに固定するための固定具を、前記下部フレームに備えた左右の脚部材の内側面又は外側面へ選択的に取付け可能かつ上記固定具を脚部材に対して上下調節可能に備えていることを特徴とするものである。
【０００９】
また、前記プレスブレーキにおけるワークテーブルにおいて、前記下部フレームは、前後左右に離隔した左前側脚部材、左後側脚部材、右前側脚部材、右後側脚部材を備えると共に、前記左前側脚部材と左後側脚部材とを連結する左梁部材及び前記右前側脚部材と右後側脚部材とを連結する右梁部材を備え、前記左梁部材の前側と右梁部材の前側又は前記左前側脚部材と右前側脚部材とを連結する前梁部材及び前記左梁部材の後側と右梁部材の後側又は前記左後側脚部材と右後側脚部材とを連結する後梁部材を備え、前記前後左右の各脚部材及び前後左右の各梁部材は、断面形状が四角形状で四方向の各側面に長手方向の係止溝を備えた角柱部材によって構成してあり、前記各脚部材と各梁部材のそれぞれは、前記係止溝に移動可能に係合した固定具を介して互いに連結してあることを特徴とするものである。
【００１０】
また、前記プレスブレーキにおけるワークテーブルにおいて、前記下部フレームに対して前記上部フレームを上下調節するときに、前記上部フレームを下方から支持し、かつ前記テーブルを水平に保持して上下動するための上下調節操作手段を備えていることを特徴とするものである。
【００１１】
また、前記プレスブレーキにおけるワークテーブルにおいて、前記下部フレームに対して前記上部フレームを上下調節可能に支持する左右の脚部材は板状部材を含むことを特徴とするものである。
【００１２】
また、前記プレスブレーキにおけるワークテーブルにおいて、前記テーブルの上面に、当該テーブルに対するワークの移動が円滑であり、かつワークに擦り傷を付与することのない傷防止用のシート部材を備えていることを特徴とするものである。
【発明の効果】
【００１３】
本発明によれば、左右一対のサポートアームによってワークテーブルを支持するものであり、かつワークテーブルをサポートアームに固定するための固定具は、ワークテーブルにおける左右の脚部材の内側面又は外側面に選択的に取付け可能であつて、かつ上下調節可能であるから、ワークテーブルの安定性が向上すると共に、左右一対のサポートアームの間隔寸法が異なる場合であっても容易に対応することができるものである。
【図面の簡単な説明】
【００１４】
【図１】本発明の実施形態に係るワークテーブルを概念的、概略的に示した斜視説明図である。
【図２】角柱部材及び各角柱部材を互いに直角に接続し連結するための固定具等の概略的な斜視説明図である。
【図３】角柱部材及び各角柱部材を互いに直角に接続し連結するための固定具等の概略的な説明図である。
【図４】ワークテーブルを左右のサポートアームに取付ける構成の説明図である。
【図５】ワークテーブルを左右のサポートアームに取付ける構成の説明図である。
【図６】アタッチメントを使用する場合の説明図である。
【図７】アタッチメントを使用する場合の説明図である。
【図８】アタッチメントを使用する場合の説明図である。
【図９】サポートアームが丸棒材の場合の説明図である。
【図１０】第２の実施形態に係るワークテーブルの斜視説明図である。
【図１１】同上ワークテーブルの上部フレームを上昇した状態を示す斜視説明図である。
【図１２】同上ワークテーブルの左右両側部に載置ブラケットを配置した場合を例示した斜視説明図である。
【図１３】同上ワークテーブルにアタッチメントを取付けた場合の斜視説明図である。
【図１４】同上ワークテーブルを丸棒材からなるサポートアームに対応した構成とした場合の斜視説明図である。
【図１５】従来のワークテーブルの構成を示す説明図である。
【発明を実施するための形態】
【００１５】
図１を参照するに、本発明の実施形態に係るワークテーブル１は、プレスブレーキ３（全体的構成の図示は省略）における下部テーブル５の前面に水平に備えた左右一対のサポートアーム７Ｌ，７Ｒに装着して使用するもので、このサポートアーム７Ｌ，７Ｒは、上面が平面で左右両側にフランジ部を下方向へ湾曲（屈曲）して備えた形態である。前記ワークテーブル１は、上記サポートアーム７Ｌ，７Ｒに支持される下部フレーム９と、この下部フレーム９に上下調節可能に備えられた上部フレーム１１とを備えている。そして、この上部フレーム１１には、板状のワーク（図示省略）を載置支持するテーブル１３が前後方向（プレスブレーキにおけるパンチ、ダイの長手方向（左右方向）に対して水平に直交する方向、上記パンチ、ダイに対して水平に接近離反する方向）へ移動可能（位置調節可能）に備えられている。
【００１６】
前記下部フレーム９は、前後方向に離隔した垂直な左前側脚部材１５ＬＦ、左後側脚部材１５ＬＲ、右前側脚部材１５ＲＦ及び右後側脚部材１５ＲＲを備えている。そして、左前側脚部材１５ＬＦと左後側脚部材１５ＬＲの上下部分は、前後方向に長い水平な上下の左梁部材１７ＬＵ，１７ＬＬによって連結してあり、右前側脚部材１５ＲＦと右後側脚部材１５ＲＲは、同様に上下の右梁部材１７ＲＵ，１７ＲＬによって連結してある。さらに、前記下部フレーム９には、下側の前記左右の梁部材１７ＬＬ，１７ＲＬを互いに連結する前後の梁部材１９Ｆ，１９Ｒが水平にかつ左右方向に長く設けてある。
【００１７】
前記上部フレーム１１は、前記下部フレーム９における左右の前側脚部材１５ＬＦ，１５ＲＦに上下動可能かつ上下調節可能に支持された左右の脚柱（脚部材）２１Ｌ，２１Ｒを備えており、この左右の脚柱２１Ｌ，２１Ｒの上部には、後方向（プレスブレーキに近接する方向）へ水平に延伸した支持アーム２３Ｌ，２３Ｒが片持式に取付けてある。そして、上記左右の支持アーム２３Ｌ，２３Ｒの適数箇所は、左右方向に長い連結梁部材２５によって連結してある。
【００１８】
前記テーブル１３は、前記上部フレーム１１における前記アーム２３Ｌ，２３Ｒと同一構造のバー部材を四角形状に組合せた枠体構成であって、このテーブル１３における左右のバー部材２７Ｌ，２７Ｒは、前記上部フレーム１１における左右の支持アーム２３Ｌ，２３Ｒ上に前後方向へ移動可能かつ位置調節可能に載置されている。このテーブル１３の上面には、当該テーブル１３上のワークの移動を円滑に行うことができ、かつワークの移動時にワークに擦り傷を付与することのない傷防止用のシート部材２９が備えられている。
【００１９】
上記傷防止用のシート部材２９は、例えば不織布などの布状物を貼り付けたプレート等よりなるものである。そして、前記テーブル１３の後側（プレスブレーキに近接した側）には、左右方向に長い２本のスリット３１が形成してあると共に、上記スリット３１と交差する方向に長い突当てゲージ３３が、適宜の固定具３５を介して、スリット３１に沿って位置調節可能かつスリット３１に対する傾斜角を調節可能に取付けてある。なお、上記突当てゲージ３３は、プレスブレーキに備えたパンチ、ダイの間へワークを供給し位置決めするときに、ワークの左側面又は右側面を当接することにより、ワークの左右方向の位置決め及び前後方向への案内機能を奏するものである。
【００２０】
前記下部フレーム９を構成する前記前後左右の脚部材１５ＬＦ，１５ＬＲ，１５ＲＦ，１５ＲＲ、上下の梁部材１７ＬＵ，１７ＬＬ，１７ＲＵ，１７ＲＬ、前後の梁部材１９Ｆ，１９Ｒ及び前記上部フレーム１１における左右の脚柱（脚部材）２１Ｌ，２１Ｒ、左右の支持アーム２３Ｌ，２３Ｒ、連結部材２５及びバー部材２７Ｌ，２７Ｒなどは、図２に示すように、断面形状が四角形状で四方向の各側面に、例えばＴ溝などのごとき係止溝３７Ｇを全長に亘って備えた角柱部材３７によって構成してある。そして、各角柱部材３７は、前記係止溝３７Ｇに移動可能で位置調節可能に係合した固定具３９，４１及び連結ブラケット４３を介して互いに直角に接続連結してある。
【００２１】
より詳細には、前記固定具３９，４１は、雄ねじ部材，雌ねじ部材の関係にあり、本実施形態において、一方の固定具３９は、前記係止溝３７Ｇ内を移動自在のナット部材にて例示してあり、他方の固定具４１は、前記連結ブラケット４３に備えた貫通孔４３Ｈを貫通してナット部材に螺合自在なボルトにて例示してある。しかし、ボルト，ナットの関係は相対的なものであるから、頭部を四角形状に形成したＴボルトの上記頭部を前記係止溝３７Ｇに移動可能に係合し、このＴボルトのねじ部を、前記貫通孔４３Ｈに貫通した後、上記ねじ部にナットを螺合する構成であってもよいものである。前記連結ブラケット４３は、図２に示すように、一方の角柱部材３７Ａに当接自在な当接面４３Ａと他方の角柱部材３７Ｂに当接自在な当接面４３Ｂとを直交して備えた構成であって、上記両当接面４３Ａ，４３Ｂに前記貫通孔４３Ｈが設けられている。
【００２２】
上記構成により、一方の角柱部材３７Ａに対して他方の角柱部材３７Ｂを直角に保持して一端面を当接すると共に、上記各角柱部材３７Ａ，３７Ｂの当接部分に沿って前記連結ブラケット４３を配置し、固定具３９，４１によって連結ブラケット４３を各角柱部材３７Ａ，３７Ｂに固定することにより、一方の角柱部材３７Ａと他方の角柱部材３７Ｂとを直交した状態に連結固定することができるものである。そして、前記固定具３９，４１の締め付けを緩め、例えば一方の角柱部材３７Ａに対して他方の角柱部材３７Ｂを移動可能とすることにより、図２において、一方の角柱部材３７Ａに対して他方の角柱部材３７Ｂを上下方向、すなわち一方の角柱部材３７Ａの長手方向へ位置調節することができるものである。
【００２３】
上記構成より理解されるように、前記下部フレーム９における左右の上下の梁部材１７ＬＵ，ＬＬ，１７ＲＵ，１７ＲＬは、前後左右の脚部材１５ＬＦ，１５ＬＲ，１５ＲＦ，１５ＲＲに対して上下位置調節することができるものである。また、下部フレーム９における前後の梁部材１９Ｆ，１９Ｒは、左右の下側の梁部材１７ＬＬ，１７ＲＬに対して前後方向に位置調節することができるものである。そして、前記前後の梁部材１９Ｆ，１９Ｒには、各種の工具を収納自在な工具ボックス４５を前後動自在に吊下支持する前後方向の左右一対のガイドレール部材（図示省略）がブラケットを介して取付けてある。
【００２４】
前記上部フレーム１１における前記左右の脚柱２１Ｌ，２１Ｒの上端部と前記左右の支持アーム２３Ｌ，２３Ｒの前端部は、前記固定具３９，４１と、図３に示すごとき連結ブラケット４７を介して直角に連結してある。上記連結ブラケット４７は、立方体の形状であって、脚柱２１Ｌ，２１Ｒに当接する当接面４７Ａ及び支持アーム２３Ｌ，２３Ｒに当接する当接面４７Ｂとを直交して備え、この当接面４７Ａ，４７Ｂには、固定具４１のねじ部が貫通自在の貫通孔４７Ｈがそれぞれ形成してあり、かつ上記貫通孔４７Ｈには、各貫通孔４７Ｈに固定具４１を貫通したときに、互いの固定具４１の頭部が干渉することのないように、頭部を埋没する大径穴４７ＢＨが連接して形成してある。
【００２５】
前記連結ブラケット４７は、図１に示すように、前記左右の脚柱２１Ｌ，２１Ｒの上端部における前後面にそれぞれ取付けてあって、前記左右の支持アーム２３Ｌ，２３Ｒの内側面又は外側面に取付けられるものである。図１においては、左右の支持アーム２３Ｌ，２３Ｒの外側面に前記連結ブラケット４７を取付けた場合が例示されている。
【００２６】
前記下部フレーム９における左右の前側脚部材１５ＬＦ，１５ＲＦに対する前記上部フレーム１１における左右の脚柱２１Ｌ，２１Ｒの取付けは、次のように行われている。すなわち、プレスブレーキに備えた左右のサポートアーム７Ｌ，７Ｒが、図４に示すように、下部フレーム９における左右の脚部材１５ＬＦ，１５ＬＲ：１５ＲＦ，１５ＲＲの内側に位置するときには、上部フレーム１１における左右の支持アーム２３Ｌ，２３Ｒの外側面に左右の脚柱２１Ｌ，２１Ｒを配置し、かつ左右の前側脚部材１５ＬＦ，１５ＲＦの外側に上部フレーム１１における左右の脚柱２１Ｌ，２１Ｒを配置する。
【００２７】
そして、前記固定具３９，４１と同様の固定具４９を介して前側脚部材１５ＬＦ，１５ＲＦの前面に高さ位置調節可能に取付けた支持プレート５１に、前記固定具３９，４１と同様の構成であって一方の固定具４１に操作レバー５３を備えた固定具５５を介して、前記前側脚部材１５ＬＦ，１５ＲＦに対して上部フレーム１１における左右の脚柱２１Ｌ，２１Ｒが上下位置調節可能に支持されている。
【００２８】
前記左右のサポートアーム７Ｌ，７Ｒに対する下部フレーム９の取り付けは次のように行われている。すなわち、前記下部フレーム９における前後左右の各脚部材１５ＬＦ，１５ＬＲ：１５ＲＦ，１５ＲＲの内側面には、前記連結ブラケット４３と同様に直交する当接面を備えた構成の載置ブラケット５７が前記固定具３９，４１と同様の固定具によって上下調節可能に取付けてある。この載置ブラケット５７は、前記左右のサポートアーム７Ｌ，７Ｒ上に載置自在である。したがって、前後左右の各脚部材１５ＬＦ，１５ＬＲ，１５ＲＦ，１５ＲＲに取付けた前記載置ブラケット５７を左右のサポートアーム７Ｌ，７Ｒ上に載置することにより、下部フレーム９は左右のサポートアーム７Ｌ，７Ｒに支持されるものである。
【００２９】
前述のように、左右のサポートアーム７Ｌ，７Ｒに支持された下部フレーム９を前記サポートアーム７Ｌ，７Ｒに固定するために、各脚部材１５ＬＦ，１５ＬＲ，１５ＲＦ，１５ＲＲにおける内側面には、前記サポートアーム７Ｌ，７Ｒを締付自在なクランプジョー５９が固定具の１例として備えられており、このクランプジョー５９を締付けるための締付レバー６１が備えられている。この締付レバー６１は、前記固定具３９，４１と同様の構成において、一方の固定具４１にレバーを備えた構成である。
【００３０】
したがって、前記締付レバー６１を締付け操作することにより、クランプジョー５９でもってサポートアーム７Ｌ，７Ｒを締付けることができる。また、前記締付レバー６１を緩め操作することにより、前記クランプジョー５９による締付けを解除することができると共に、クランプジョー５９を上下に位置調節することができるものである。よって、左右のサポートアーム７Ｌ，７Ｒに対して下部フレーム９を取付け固定するとき、前記載置ブラケット５７及びクランプジョー５９の上下位置を調節することにより、下部フレーム９の高さ位置を調節することができるものである。
【００３１】
前述のごとく、左右のサポートアーム７Ｌ，７Ｒに下部フレーム９を取付け固定した後、下部フレーム９に対して上部フレーム１１の上下位置を調節することになる。この場合、左右の脚部材１５ＬＦ，１５ＲＦに備えた左右の操作レバー５３を個別に操作して固定具５５を緩めた状態に保持し、上部フレーム１１における左右の脚柱２１Ｌ，２１Ｒの上下位置を個別に調節することは厄介である。
【００３２】
そこで、下部フレーム９に対してテーブル１３を水平に保持して上部フレーム１１を上下動するために、上下調節操作手段６３が備えられている。この上下調節操作手段６３は、前記下部フレーム９における前後の梁部材１９Ｆ，１９Ｒに亘って載置される下部プレート６５と前記テーブル１３の下面に面接触する上部プレート（図示省略）との間に、上下に伸縮自在なリンク機構６７を備えた構成である。そして、上記リンク機構６７の伸縮操作を行うためのハンドル６９を備えた構成である。なお、上下調節操作手段６３は、リフターの構成として周知の構成であるから、上下調節操作手段６３のより詳細な構成についての説明は省略する。
【００３３】
上記構成により、操作レバー５３を操作して、下部フレーム９における左右の前側脚部材１５ＬＦ，１５ＲＦに対して上部フレーム１１における左右の脚柱２１Ｌ，２１Ｒを上下動可能な状態に保持する。そして、上下調節操作手段６３におけるハンドル６９を回転操作して、リンク機構６７を伸縮作動することにより、上部フレーム１１は、テーブル１３を水平に保持して上下動される。その後、左右の操作レバー５３を個別に締付け回動することにより、テーブル１３を下部フレーム９に固定することができる。したがって、プレスブレーキに備えたダイの高さ位置に対応してテーブル１３を水平に保持して高さ位置を容易に調節することができるものである。よって、テーブル１３上にワークを載置した状態にあっても、テーブル１３の高さ位置を調節することができる。
【００３４】
ところで、前記上部フレーム１１において、前記テーブル１３を前後方向に位置調節し固定する構成は、前記脚部材１５ＬＦ，１５ＲＦに対して前記脚柱２１Ｌ，２１Ｒを上下に位置調節した後に固定する構成と同一であるから、同一機能を奏する構成要素には同一符号を付することとして重複した説明は省略する。
【００３５】
前記左右一対のサポートアーム７Ｌ，７Ｒの間隔寸法が大きい場合には、図５に示すように、左右の脚部材１５ＬＦ，１５ＲＦの内側に左右の脚柱２１Ｌ，２１Ｒが位置するように、上部フレーム１１における支持アーム２３Ｌ，２３Ｒの内側に左右の脚柱２１Ｌ，２１Ｒを取付ける。そして、前記支持プレート５１の向きを左右逆にして左右の脚部材１５ＬＦ，１５ＲＦに取付ける。また、前記載置ブラケット５７及びクランプジョー５９を、前記脚部材１５ＬＦ，１５ＲＦの外側面に取付けるものである。
【００３６】
以上のごとき説明より理解されるように、プレスブレーキの下部テーブル５の前面に備えた左右一対のサポートアーム７Ｌ，７Ｒの左右方向の間隔寸法の大きさに対応して、下部フレーム９における各脚部材１５ＬＦ，１５ＬＲ，１５ＲＦ，１５ＲＲの内側面又は外側面に対して載置ブラケット５７、クランプジョー５９等を選択的に取付けることができる。したがって、前記サポートアーム７Ｌ，７Ｒの間隔寸法が異なる場合であっても容易に対応することができるものである。
【００３７】
また、プレスブレーキにおけるダイの高さ位置が変わるような場合であっても、ワークを載置支持するテーブル１３を水平に保持して上下位置（上下高さ位置）の調節を容易に行うことができるものである。
【００３８】
また、前記構成においては、断面形状が四角形状で四方向の各側面に長手方向の係止溝３７Ｇを備えた角柱部材３７を、固定具３９，４１及び連結ブラケット４３を介して枠体に組合せることによって下部フレーム９及び上部フレーム１１が構成してあるので、格別に加工する構成要素が少なくなり、構成の簡素化及び組立ての容易性を図ることができるものである。
【００３９】
また、前記構成においては、テーブル１３の上面に、ワークの移動が円滑であり、かつワークに擦り傷を付与することのない傷防止用のシート部材２９が設けられているので、テーブル１３上においてのワークの前後左右方向への移動を容易に行うことができ、プレスブレーキに備えたダイに対するワークの位置決めを容易に行い得るものである。この際、ワークに擦り傷などの損傷を付与することがなく、品質の向上を図ることができるものである。
【００４０】
ところで、前記構成においては、下部フレーム９における前後左右の各脚部材１５ＬＦ，１５ＬＲ，１５ＲＦ，１５ＲＲにおける左右の外側面又は左右の内側面に対して載置ブラケット５７等を選択的に取付ける場合について説明した。しかし、左右一対のサポートアーム７Ｌ，７Ｒの間隔寸法が標準的な間隔寸法より小さい場合や、より大きい場合には、アタッチメントを取付けることによって容易に対応し得るものである。
【００４１】
すなわち、左右のサポートアーム７Ｌ，７Ｒの間隔寸法が標準的な寸法よりも小さい場合には、図６に示すごとき左右のアタッチメント７１Ｌ，７１Ｒを、下部フレーム９における前後左右の脚部材１５ＬＦ，１５ＬＲ，１５ＲＦ，１５ＲＲ及び梁部材１９Ｆに対して取付けるものである。上記左右のアタッチメント７１Ｌ，７１Ｒは、適宜長さに切断した前記角柱部材３７の複数本を固定具３９，４１及び連結ブラケット４３によって互いに連結し組合せることによって構成してある。
【００４２】
前記左右のアタッチメント７１Ｌ，７１Ｒは、前後方向に長い水平梁部材７３Ｌ，７３Ｒを備えており、上記各水平梁部材７３Ｌ，７３Ｒの前後両端部には、それぞれ前後の支柱７５ＬＦ，７５ＬＲ，７５ＲＦ，７５ＲＲが垂直に連結して備えられている。
【００４３】
そして、前記前後左右の各支柱７５ＬＦ，７５ＬＲ，７５ＲＦ，７５ＲＲの互いに対向した左右方向の内側面には載置ブラケット５７が上下位置調節可能に取付けてあり、かつ前側の各支柱７５ＬＦ，７５ＲＦには、クランプジョー５９、締付レバー６１がそれぞれ取付けてある。また、前記各支柱７５ＬＦ，７５ＬＲ，７５ＲＦ，７５ＲＲの左右方向の外側面には、連結梁７７ＬＦ，７７ＬＲ，７７ＲＦ，７７ＲＲがそれぞれ水平に、かつ上下位置調節可能に取付けてある。そして、上記各連結梁７７ＬＦ，７７ＬＲ，７７ＲＦ，７７ＲＲの先端部には、前記下部フレーム９における前後左右の各脚部材１５ＬＦ，１５ＬＦ，１５ＲＦ，１５ＲＲの左右方向の内側面と連結するための連結ブラケット４３がそれぞれ取付けてある。
【００４４】
したがって、図６（Ｂ）に示すように、下部フレーム９の内側へ左右のアタッチメント７１Ｌ，７１Ｒを取り付けることができ、プレスブレーキに備えた左右のサポートアーム７Ｌ，７Ｒの間隔寸法が標準的な寸法よりも小さい場合であっても、容易に対応し得るものである。
【００４５】
プレスブレーキに備えた左右一対のサポートアーム７Ｌ，７Ｒの間隔寸法が標準的な寸法よりも大きなときは、図７に示すごときアタッチメント７９をワークテーブル１に装着して対応するものである。このアタッチメント７９は、適宜長さに切断した前記角柱部材３７の複数本を固定具３９，４１及び連結ブラケット４３によって互いに連結し組合せることによって構成してある。
【００４６】
上記アタッチメント７９は、図７に示すように、左右方向に長い前後一対のベースビーム８１Ｆ，８１Ｒが、ワークテーブル１の前記下部フレーム９における前後の各脚部材１５ＬＦ，１５ＲＦ：１５ＬＲ，１５ＲＲの前後方向の間隔寸法に等しく設けられている。そして、前後のベースビーム８１Ｆ，８１Ｒは、前後方向の複数の連結梁８２によって互いに一体的に連結してある。また、上記各ベースビーム８１Ｆ，８１Ｒの上面には、前記下部フレーム９における前後左右の各脚部材１５ＬＦ，１５ＬＲ，１５ＲＦ，１５ＲＲの下端部を連結するための連結ブラケット４３がそれぞれ備えられている。
【００４７】
また、前記各ベースビーム８１Ｆ，８１Ｒにおける左右両端側の上面には、前記連結ブラケット４３と機能が同一で外形の大きな連結ブラケット８３を介して支柱８５ＬＦ，８５ＬＲ，８５ＲＦ，８５ＲＲが立設してある。この前後左右の各支柱８５ＬＦ，８５ＬＲ，８５ＲＦ，８５ＲＲは、図８（Ａ）に示すように、前記各ベースビーム８１Ｆ，８１Ｒの長手方向へ位置調節可能である。そして、前後の支柱８５ＬＦ，８５ＬＲ：８５ＲＦ，８５ＲＲは前後方向の連結梁８７によって互いに一体的に連結してある。
【００４８】
前記各支柱８５ＬＦ，８５ＬＲ，８５ＲＦ，８５ＲＲの上端部には、左右方向の内方向へ突出した連結梁８９ＬＦ，８９ＬＲ，８９ＲＦ，８９ＲＲが取付けてある。そして、上記各連結梁８９ＬＦ，８９ＬＲ，８９ＲＦ，８９ＲＲの左右方向の内端部には、前記下部フレーム９における各脚部材１５ＬＦ，１５ＬＲ，１５ＲＦ，１５ＲＲの左右方向の外側面に連結するための連結ブラケット４３がそれぞれ備えられている。また、前記各支柱８５ＬＦ，８５ＬＲ，８５ＲＦ，８５ＲＲの左右方向の外側面には、載置ブラケット５７が上下位置調節可能に取付けてあると共に、前側の支柱８５ＬＦ，８５ＲＦの左右方向の外側面にはそれぞれクランプジョー５９、締付レバー６１が取付けてある。
【００４９】
したがって、図８（Ｂ）に示すように、前記アタッチメント７９内に前記ワークテーブル１を配置して一体的に連結でき、かつアタッチメント７９に備えた載置ブラケット５７を左右のサポートアーム７Ｌ，７Ｒ上に載置することができ、サポートアーム７Ｌ，７Ｒに対して固定することができるものである。
【００５０】
ところで、前記実施形態は、プレスブレーキに備えた左右のサポートアーム７Ｌ，７Ｒの形状が、上面が平面で、左右両側に下方向へ湾曲したフランジ部を備えた形態の場合について説明した。しかし、サポートアームの構成としては、前述した従来の構成におけるサポートアーム１２５を丸棒材に代えた構成もある。したがって、サポートアーム１２５が丸棒材の場合に対応する構成について説明する。
【００５１】
従来の構成における取付板１２３に備えたサポートアーム９１が、図９に示すように、丸棒材である場合には、丸棒材である上記サポートアーム９１を締付け可能なアタッチメントとしてのＣ字形状の複数のバークランプ９３を、ワークテーブル１における下部フレーム９の左右の上部梁部材１７ＬＵ，１７ＲＵの左右方向の外側面に、前記固定具３９，４１と同様の固定具９４でもって着脱可能かつ前後方向へ位置調節可能に取付ける。そして、上記バークランプ９３に前記サポートアーム９１を挿通した後に、バークランプ９３に備えた締付けレバー９５を締付け操作することにより、ワークテーブル１を、丸棒材のサポートアーム９１に取付けることができるものである。
【００５２】
上記説明より理解されるように、前記ワークテーブル１は、各種のアタッチメントを使用することにより、左右のサポートアーム７Ｌ，７Ｒの間隔寸法が標準的な寸法よりも小さい場合、大きい場合であっても容易に対応でき、かつサポートアームが丸棒材の場合であっても容易に対応し得るものである。
【００５３】
図１０，図１１は、前記ワークテーブル１の第２の実施形態を示すもので、前述した実施形態における構成要素と同一機能を奏する構成要素には同一符号を付することとして、重複した説明は省略する。
【００５４】
この第２の実施形態において、前述した第１の実施形態と大きく異なる第１の構成は、左右の前記脚部材２１Ｌ，２１Ｒを、短冊形状の板状部材２１ＰＬ，２１ＰＲに変更した構成である。この板状部材２１ＰＬ，２１ＰＲの上部は、前記固定具３９，４１と同様の固定具４１Ａによって左右の支持アーム２３Ｌ，２３Ｒに着脱可能に取付けてある。そして、前記板状部材２１ＰＬ，２１ＰＲの下部は、操作レバー５３によって前側の左右の脚部材１５ＬＦ，１５ＲＦに高さ位置調節可能に取付けてある。
【００５５】
また、前述した第１の実施形態と大きく異なる第２の構成は、上下調節操作手段６３の左右両側において、後側の梁部材１９Ｒ上に左右の副脚部材１５ＳＬ，１５ＳＲを左右方向に位置調節可能に備え、かつ左右の副脚部材１５ＳＬ，１５ＳＲに、左右の調節脚部材１５ＣＬ，１５ＣＲ（図１１参照）を上下調節可能に備えた構成である。
【００５６】
前記左右の副脚部材１５ＳＬ，１５ＳＲは、当該脚部材１５ＳＬ，１５ＳＲの左右両側に連結ブラケット４３をそれぞれ配置し、かつ固定具３９，４１（図１０，１１には図示省略）によって後側の梁部材１９Ｒに左右方向へ位置調節可能に取付けてある。前記左右の調節脚部材１５ＣＬ，１５ＣＲの上端部は、左右の支持アーム２３Ｌ，２３Ｒを連結した前記連結梁部材２５の後側において当該連結梁部材２５と平行に設けた連結梁部材（図示省略）に固定具を介して左右方向へ位置調節可能に取付けてある。そして、前記左右の副脚部材１５ＳＬ，１５ＳＲと左右の調節脚部材１５ＣＬ，１５ＣＲとの連結は、前記支持プレート５１及び操作レバー５３によって上下調節可能に連結してある。
【００５７】
上記構成によれば、上部フレーム１１は、左右の副脚部材１５ＳＬ，１５ＳＲ及び左右の板状部材２１ＰＬ，２１ＰＲの４ヶ所でもって支持されることとなり、より安定性が向上するものである。
【００５８】
図１２は、前記ワークテーブル１において、左右のサポートアーム７Ｌ，７Ｒ（図１２には図示省略）に支持される左右の載置ブラケット５７及びクランプジョー５９、締付レバー６１を前側の左右の脚部材１５ＬＦ，１５ＲＦの外側（左右方向の外側面側）に配置し、前記左右の板状部材２１ＰＬ，２１ＰＲを前記脚部材１５ＬＦ，１５ＲＦの内側に配置した場合を例示するものである。したがって、プレスブレーキに備えた左右のサポートアーム７Ｌ，７Ｒ（図５参照）の間にワークテーブル１を配置し、上記サポートアーム７Ｌ，７Ｒによって支持され得るものである。
【００５９】
図１３は、前記ワークテーブル１に、前記アタッチメント７９を取付けた場合を例示するものである。なお、図８の場合と重複することとなるので詳細な説明は省略する。
【００６０】
図１４は、図９に示した丸棒材からなるサポートアーム９１（図１４には図示省略）に対応する構成を示すものである。この構成においては、前記載置ブラケット５７の上下を逆にして前後左右の各脚部材１５ＬＦ，１５ＬＲ、１５ＲＦ，１５ＲＲの左右方向の外側面に取付け、この各載置ブラケット５７のうち、前側の左右の載置ブラケット５７にはバークランプ９３を取付け、後側の左右の載置ブラケット５７には、前記サポートアーム９１を挿通する貫通穴９３Ｈを備えたブラケット９３Ｂを取付けた構成である。したがって、サポートアーム９１が丸棒材の場合であっても容易に対応し得るものである。
【符号の説明】
【００６１】
１    ワークテーブル
３    プレスブレーキ
５    下部テーブル
７Ｌ，７Ｒ    サポートアーム
９    下部フレーム
１１    上部フレーム
１３    テーブル
１５ＬＦ，ＬＲ，ＲＦ，ＲＲ    前後左右の脚部材
１９Ｆ，Ｒ    前後の梁部材
２１Ｌ，Ｒ    左右の脚柱（脚部材）
２３Ｌ，Ｒ    支持アーム
２９    傷防止用のシート部材
３１    スリット
３３    突当てゲージ
３７    角柱部材
３７Ｇ    係止溝
３９，４１，４９    固定具
４３，４７    連結ブラケット
５１    支持プレート
５３    操作レバー
５７    載置ブラケット
５９    クランプジョー
６１    締付レバー
６３    上下調節操作手段
６７    リンク機構
６９    ハンドル
７１Ｌ，Ｒ，７９    アタッチメント
【図１】
0005466046.tif 000002
【図２】
0005466046.tif 000003
【図３】
0005466046.tif 000004
【図４】
0005466046.tif 000005
【図５】
0005466046.tif 000006
【図６】
0005466046.tif 000007
【図７】
0005466046.tif 000008
【図８】
0005466046.tif 000009
【図９】
0005466046.tif 000010
【図１０】
0005466046.tif 000011
【図１１】
0005466046.tif 000012
【図１２】
0005466046.tif 000013
【図１３】
0005466046.tif 000014
【図１４】
0005466046.tif 000015
【図１５】
0005466046.tif 000016